(57)【要約】      （修正有）【課題】ロック強度の高い電気コネクタを提供する。【解決手段】回路基板面に実装される第１コネクタ６と、電線３に接続された第２コネクタ４とを備える電気コネクタ２であって、前記第１コネクタは、弾性部を有し前記第２コネクタの抜脱を阻止する第１ロック金具を備え、前記第２コネクタは、前記第１ロック金具と係合する第２ロック金具を備え、前記電線は、前記第２コネクタに前記回路基板面と平行、且つ前記第２コンタクト配列方向と直交する方向に挿入され、前記第２ロック金具は、前記第２ハウジングの前記第２コンタクト配列方向の両端に設けられたロック係止部と、前記ロック係止部のそれぞれを前記第２ハウジングの前記電線挿入側の少なくとも前記電線の前記第２コネクタの抜脱方向側で連結する連結部を有する。【選択図】図１
2015041449.tif 000002
【特許請求の範囲】
【請求項１】
回路基板面に実装される第１コネクタと、電線に接続された第２コネクタとを備える電気コネクタであって、
前記第１コネクタは、
前記回路基板面に直交する方向から前記第２コネクタが挿入される挿入部を有する第１ハウジングと、
前記挿入部に配置された複数の第１コンタクトと、
前記第１ハウジングの前記第１コンタクト配列方向の両端に設けられた、弾性部を有し前記第２コネクタの抜脱を阻止する第１ロック金具と、を備え、
前記第２コネクタは、
前記第１コネクタの前記挿入部に挿入される第２ハウジングと、
複数の前記第１コンタクトと接続される複数の第２コンタクトと、
前記第１ロック金具と係合する第２ロック金具とを備え、
前記電線は、前記第２コネクタに前記回路基板面と平行、且つ前記第２コンタクト配列方向と直交する方向に挿入され、
前記第２ロック金具は、前記第２ハウジングの前記第２コンタクト配列方向の両端に設けられたロック係止部と、前記ロック係止部のそれぞれを前記第２ハウジングの前記電線挿入側の少なくとも前記電線の前記第２コネクタの抜脱方向側で連結する連結部を有することを特徴とする電気コネクタ。
【請求項２】
前記連結部は前記電線が挿通される開口部を有していることを特徴とする請求項１記載の電気コネクタ。
【請求項３】
前記第２ロック金具は、前記第２ハウジングにインサート成形されていることを特徴とする請求項１または２記載の電気コネクタ。
【発明の詳細な説明】
【技術分野】
【０００１】
本発明は、電線と基板を接続する電気コネクタに関するものである。
【背景技術】
【０００２】
従来、回路基板に実装される樹脂製のハウジングを有するベースコネクタと、ベースコネクタに対して回路基板と直交する方向に嵌合される樹脂製のハウジングを有するソケットコネクタとを備えた電気コネクタが存在する（例えば、特許文献１参照）。この電気コネクタによれば、ハウジング間の摩擦を利用することによりソケットコネクタをベースコネクタにロックすることができる。
【先行技術文献】
【特許文献】
【０００３】
【特許文献１】特開２００６−１２８０３３号公報
【発明の概要】
【発明が解決しようとする課題】
【０００４】
しかし、上述の電気コネクタにおいては、ハウジングが樹脂で形成されているため、コネクタの挿抜を繰り返すことによりハウジングが摩耗し、ロック強度が弱くなるという問題があった。
【０００５】
本発明の目的は、ロック強度の高い電気コネクタを提供することである。
【課題を解決するための手段】
【０００６】
本発明の電気コネクタは、回路基板面に実装される第１コネクタと、電線に接続された第２コネクタとを備える電気コネクタであって、前記第１コネクタは、前記回路基板面に直交する方向から前記第２コネクタが挿入される挿入部を有する第１ハウジングと、前記挿入部に配置された複数の第１コンタクトと、前記第１ハウジングの前記第１コンタクト配列方向の両端に設けられた、弾性部を有し前記第２コネクタの抜脱を阻止する第１ロック金具と、を備え、前記第２コネクタは、前記第１コネクタの前記挿入部に挿入される第２ハウジングと、複数の前記第１コンタクトと接続される複数の第２コンタクトと、前記第１ロック金具と係合する第２ロック金具とを備え、前記電線は、前記第２コネクタに前記回路基板面と平行、且つ前記第２コンタクト配列方向と直交する方向に挿入され、前記第２ロック金具は、前記第２ハウジングの前記第２コンタクト配列方向の両端に設けられたロック係止部と、前記ロック係止部のそれぞれを前記第２ハウジングの前記電線挿入側の少なくとも前記電線の前記第２コネクタの抜脱方向側で連結する連結部を有する。
【０００７】
また本発明の電気コネクタは、前記連結部が前記電線が挿通される開口部を有していてもよい。
【０００８】
また本発明の電気コネクタは、前記第２ロック金具が前記第２ハウジングにインサート成形されていてもよい。
【発明の効果】
【０００９】
本発明によれば、ロック強度の高い電気コネクタを提供することができる。
【図面の簡単な説明】
【００１０】
【図１】実施の形態に係る電気コネクタの斜視図である。
【図２】実施の形態に係る電線側コネクタの斜視図である。
【図３】実施の形態に係る電線側コネクタの斜視図である。
【図４】実施の形態に係る電線側ロック金具の斜視図である。
【図５】実施の形態に係る基板側コネクタの斜視図である。
【図６】実施の形態に係る電線側コネクタと基板側コネクタが嵌合した状態を示す斜視図である。
【図７】実施の形態に係る電線側コネクタと基板側コネクタが嵌合した状態を示す断面図である。
【発明を実施するための形態】
【００１１】
以下、図面を参照して、本発明の実施の形態に係る電気コネクタについて説明する。図１は、実施の形態に係る電気コネクタの斜視図である。図１に示すように、電気コネクタ２は、電線３に接続された電線側コネクタ４と、図示しない回路基板面に実装される基板側コネクタ６とを備えている。
【００１２】
図２は電線側コネクタ４を上方から見た斜視図であり、図３はコネクタ４を下方から見た斜視図である。図２、３に示すように、電線側コネクタ４は、基板側コネクタ６に対して回路基板面に直交する方向（以下、基板直交方向という。）に挿入される直方体状のハウジング８を備えている。ここで、ハウジング８は絶縁性を有する樹脂部材により形成されている。
【００１３】
また、ハウジング８内には、電線側コネクタ４を基板側コネクタ６に嵌合させた場合に基板側コンタクト２０（図５参照）と電気的に接続される電線側コンタクト１０が複数配置されている。また、ハウジング８には、基板側ロック金具２２（図５参照）と係合する電線側ロック金具１２がインサート成形されている。
【００１４】
図４は電線側ロック金具１２を示す斜視図である。図４に示すように、電線側ロック金具１２は、ハウジング８の電線側コンタクト１０の配列方向（以下、コンタクト配列方向という。）の両端部８ｂに位置し、基板側ロック金具２２を係止するためのロック係止部１２ａが設けられている。また、ハウジング８の電線３が挿入される側（以下、電線挿入側という。）の端部８ａに位置し、ロック係止部１２ａのそれぞれを連結する連結部１２ｂが設けられている。また、連結部１２ｂには、電線３を挿通させるための開口部１２ｃが形成されている。
【００１５】
また、ハウジング８の両端部８ｂには、基板直交方向に延びる溝８ｃが形成され、電線側ロック金具１２のロック係止部１２ａを露出させている。また、ハウジング８の端部８ａには、電線側コンタクト１０に接続される電線３を挿通させるための開口部８ｄが形成されている。また、ハウジング８の端部８ａと反対側の端部８ｅには、基板側コンタクト２０が嵌挿される切欠き部８ｆが形成されている。
【００１６】
図５は、基板側コネクタ６の斜視図である。図５に示すように、基板側コネクタ６は、絶縁性を有する樹脂部材から成る直方体状のハウジング１８を備えている。ここで、ハウジング１８には、基板直交方向から挿入される電線側コネクタ４を受け入れるための矩形状の挿入凹部１９が設けられている。挿入凹部１９は、電線挿入側と反対側に設けられた壁部１８ａと、コンタクト配列方向の両端部に形成された一対の側壁部１８ｂとによって囲まれた凹状の空間である。
【００１７】
また、挿入凹部１９には、平板状の基板側コンタクト２０が複数配置されている。また、ハウジング１８には、電線側コネクタ４の基板側コネクタ６からの脱抜を阻止する基板側ロック金具２２がインサート成形されている。
【００１８】
ここで、基板側ロック金具２２には、一対の側壁部１８ｂのそれぞれに位置し電線側ロック金具１２のロック係止部１２ａと係合する係合部２２ａが設けられている。係合部２２ａの上端には、挿入凹部１９側に屈曲し弾性を有する屈曲部２２ｂが設けられている。また、基板側ロック金具２２の回路基板面側には、基板側ロック金具２２を回路基板に固定するための固定部２２ｃが備えられている。
【００１９】
図６は実施の形態に係る電線側コネクタ４と基板側コネクタ６が嵌合した状態を示す斜視図であり、図７はその断面を示す図である。電線側コネクタ４が基板側コネクタ６の挿入凹部１９に挿入され、電線側コネクタ４が下方に押下されると、ロック係止部１２ａの下面が屈曲部２２ｂの上面と接触する。更に電線側コネクタ４が押下されると、屈曲部２２ｂが挿入凹部１９の外側方向に押し広げられ、ロック係止部１２ａが屈曲部２２ｂの先端部分２２ｄの下側に移動する。この場合、先端部分２２ｄは、屈曲部２２ｂの弾性力によって挿入凹部１９の内側に戻り、先端部分２２ｄがロック係止部１２ａの上側に位置する状態となる。
【００２０】
これにより、ロック係止部１２ａの上面が屈曲部２２ｂの先端部分２２ｄと係合し、電線側コネクタ４が基板側コネクタ６にロックされる。従って、電線側コネクタ４の基板側コネクタ６からの脱抜を防止することができる。
【００２１】
この実施の形態に係る電気コネクタ２によれば、電線側コネクタ４が電線側ロック金具１２を備えると共に、基板側コネクタ６が基板側ロック金具２２を備え、電線側コネクタ４を基板側コネクタ６に嵌合させた場合においてロック係止部１２ａの上面が屈曲部２２ｂの先端部分２２ｄと係合するため、電気コネクタ２のロック強度を向上させることができる。
【００２２】
また、電線側ロック金具１２及び基板側ロック金具２２は、それぞれ金属で形成されているため、電気コネクタ２の挿抜を繰り返した場合でも摩耗することがなく、長期に亘って電気コネクタ２のロック強度を維持することができる。
【００２３】
また、電線３が電線側ロック金具１２の開口部１２ｃ内に挿通され、ハウジング８の端部８ａが電線側ロック金具１２によって保護されるため、電線３を引っ張って電線側コネクタ４を基板側コネクタ６から取り外した場合に、電線３によってハウジング８が破壊されることを防止することができる。
【００２４】
なお、上述の実施の形態においては、電線側ロック金具１２の連結部１２ｂには、電線３を挿通させる開口部１２ｃが形成されているが、電線側ロック金具の連結部は、電線３よりも上側で両側のロック係止部を連結する形状であってもよい。
【符号の説明】
【００２５】
２…電気コネクタ、３…電線、４…電線側コネクタ、６…基板側コネクタ、８…ハウジング、１０…電線側コンタクト、１２…電線側ロック金具、１２ａ…ロック係止部、１２ｂ…連結部、１２ｃ…開口部、１８…ハウジング、１９…挿入凹部、２０…基板側コンタクト、２２…基板側ロック金具、２２ａ…係合部、２２ｂ…屈曲部
【図１】
2015041449.tif 000003
【図２】
2015041449.tif 000004
【図３】
2015041449.tif 000005
【図４】
2015041449.tif 000006
【図５】
2015041449.tif 000007
【図６】
2015041449.tif 000008
【図７】
2015041449.tif 000009